(57)【要約】【課題】  本発明は便座に座った際に、便座の汚れが衣服や身体につくのを防ぐ、衛生的かつ快適なトイレシートを提供するものである。【解決手段】本発明の縁部は、波部４を有しており、断面は上層部５、中層部６、下層部７の３層構造となっている。上層部、下層部は繊維状の素材からなり、中層部は、高吸湿性の素材からなる。本発明を便座１０１に敷くときは、便座シート１００の波部４が、便座１０１の前方付近に来るように、かつ下層部７の表面９が、便座１０１全体を覆うように敷く。【選択図】  図１
2014210163.tif 000002
【特許請求の範囲】
【請求項１】
便座の上に敷く便座シートであって、前記便座シートの縁部に、波部を有することを特徴とするトイレシート。
【請求項２】
繊維状の素材からなる上層部と下層部と、前記上層部と下層部との間に高吸湿性のある素材からなる中層部を重ね合わせた、積層構造からなることを特徴とする請求項１に記載のトイレシート。
【請求項３】
前記下層部の表面には、水溶性の付着剤が塗布されていることを特徴とする請求項１又は２に記載のトイレシート。
【請求項４】
前記便座シートの素材を水溶性のものとすることを特徴とする請求項１又は２に記載のトイレシート。
【請求項５】
上辺部から中央部にかけて便器に設置するための設置口が設けられ、前記設置口の縁部に、波部を有することを特徴とするトイレシート。
【発明の詳細な説明】
【技術分野】
【０００１】
本発明は、洋式トイレの便座や床に敷く、トイレシートに関する発明である。
【背景技術】
【０００２】
現在、デパートやビル、公共施設において洋式トイレが多く設置されているが、そのほとんどが便座カバーがついていないものである。よって、これらの洋式トイレを使用する際に、衛生上の観点から、種々の便座シートが発明されている。
【０００３】
特許文献１にかかる発明は、シートの水解性を維持するため、シートの厚さを薄くしており、また、便座に敷いたときの粘着力を高めるため、シートの裏面同士を重ね合わせてもシートが破れないことを特徴とする便座シートである。特許文献２は、シートの裏側の複数個所に粘着剤を設けることによって、シートごと巻き取ることができることを可能にした携帯用の便座シートである。    
【先行技術文献】
【特許文献】
【０００４】
【特許文献１】特開２００５−４０３５９号公報
【特許文献２】特開２０１０−１９４２８４号公報
【発明の概要】
【発明が解決しようとする課題】
【０００５】
しかしながら上記特許文献１に係る発明は、粘着力を高めた反面、便座シートをうまく便座に敷くことができなかった場合、シートの位置を修正した結果、シートに皺ができてしまうため、心地よく便座に座ることができなかった。また、修正の際、直接便座を素手で触る必要があることから衛生的な面で使用に躊躇するという問題が生じていた。さらに、シートの層が薄いため、便座が汚れていた場合などは、直接人体についてしまうなどの問題も生じていた。上記特許文献２にかかる発明は、シートの裏側の複数個所に粘着剤を設けているだけなので、粘着力が弱く、便座に座ったときにシートの位置がずれやすいため、便座に座った結果、不快な感じがするという問題が生じていた。
【０００６】
本発明は、このような問題に鑑み、使用時に衛生的に使用することができることを第１の目的とする。また、快適な座り心地を提供することを第２の目的とする。
【課題を解決するための手段】
【０００７】
上記のような問題点を解決するため、第１の発明は、便座の上に敷く便座シートであって、前記便座シートの縁部に、波部を有することを特徴とするトイレシートである。
【０００８】
第２の発明は、繊維状の素材からなる上層部と下層部と、前記上層部と下層部との間に高吸湿性のある素材からなる中層部を重ね合わせた、積層構造からなることを特徴とする請求項１に記載のトイレシートである。
【０００９】
第３の発明は、前記下層部の表面には、水溶性の付着剤が塗布されていることを特徴とする請求項１又は２に記載のトイレシートである。
【００１０】
第４の発明は、前記便座シートの素材を水溶性のものとすることを特徴とする請求項１又は２に記載のトイレシートである。
【００１１】
第５の発明は、上辺部から中央部にかけて便器に設置するための設置口が設けられ、前記設置口の縁部に、波部を有することを特徴とするトイレシートである。
【図面の簡単な説明】
【００１２】
【図１】この発明の実施の形態１にかかる便座シートの平面図である。
【図２】図１の便座シートの断面図である。
【図３】図１の便座シートを折り畳んだ状態から展開した状態にしたことを示す説明図である。
【図４】図１の便座シートを便座の上に敷いたときの説明図である。
【図５】図１の便座シートの変形例を表す図である。
【図６】この発明の実施の形態２にかかる床マットの平面図である。
【図７】図６の床マットを便器に設置したときの説明図である。
【発明を実施するための形態】
【００１３】
以下これらの発明につき、図面を参照しつつ詳細に実施の形態を説明する。なおこの実施の形態によりこれらの発明が限定されるものではない。
【００１４】
[実施の形態１]
図１は、この発明の実施の形態１にかかる便座シートの平面図である。
便座シート１００は、トイレシートであって、略円形状に切り取られた右上角部１と左上角部２を有し、中央部は略楕円形状の孔３が開いている。便座シート１００を便座に敷き、便座に座った後、皺や折れ線ができるのを防ぐため、便座シート１００の縁部に、波部４を有する構造となっている。
尚、本便座シート１００は、便座全体を覆うことができるように、さらに、使用中に発生する汚れが衣服や身体に付かないように、便座の全体形状よりもやや大きめの形状となる。また、本便座シート１００の素材は、使用後トイレに流して捨てることができるよう水溶性のものでもよい。
【００１５】
図２は、図１の便座シートの断面図である。この便座シート１００は、上層部５、中層部６、下層部７の３層構造となっている、上層部５は、便座シートに座った際に心地よく、かつ動いた時に破けないよう、繊維状の素材からなる。中層部６は便座についていた汚れや、便座を使用している際に発生する汚れなどを吸収し、上層部５へ移らせることの無いよう、高吸湿性のある素材からなる。尚、中層部６は汚れの吸収を強化するため、同様の素材を２層又は３層構造のものにしてもよい。下層部７は上層部５と同様の素材となるが、下層部７の表面９は便座に接する部分であるため、上層部５の表面８と色を変えるなどして見分けがつくようにすることが望ましい。また下層部７の表面９には便座シート１００を便座に付着でき固定できるよう、水溶性の付着剤を塗布させてもよい。
【００１６】
図３は、図１の便座シートを折り畳んだ状態から展開した状態にしたことを示す説明図である。図４は、図１の便座シートを便座の上に敷いたときの説明図である。以下本発明の使用方法を説明する。
【００１７】
図３に示すように、折り畳まれた便座シート１００を便座に敷くことができるよう展開していく。その後、便座シート１００の波部４が、便座１０１の前方付近に来るように、かつ下層部７の表面９が、便座１０１全体を覆うように、便座シート１００を敷く。便座１０１に座り、便座シート１００の位置を調整する必要がある場合は、便座シート１００を手で持ち調整する。なお、便座の前方の内側や裏面に汚れがある場合は、波部４を便座の裏側に向かって、折り畳んで使用する。便座シート１００が不要になったときは、便座シート１００を手に持ち、トイレに流して捨てることもできる。
【００１８】
以上により、トイレの使用開始から使用終了まで、衣服や身体に汚れが付くことなく、衛生的かつ快適に、便座シートを使用することができる。また波部４が便器の前方付近をすっぽりと覆うことから、どんな便座でも対応することができる。さらに、便座シート１００の素材が水溶性のものである場合、使用後はトイレに流すこともできるため、ゴミの発生を抑え、エコ対策にもなる。
【００１９】
図５は  図１の便座シートの変形例を表す図である。この便座シート１０２は、図１の便座シート１００の下半分の構造となっている。この構造にすることにより、特に汚れが付きやすい便座の前方部を中心に本便座シートを敷くことができる。さらに、軽量化されるため、小さく折り畳みができ、コンパクトに持ち運びできる。
【００２０】
[実施の形態２]
図６は、この発明の実施の形態２にかかる床マットの平面図である。実施の形態１と同じ構成要素には同じ符号を用いて説明を省略し、異なる部分を説明する。
【００２１】
この床マット２００は、トイレシートであって、全体的にＵ字形状になっており、上辺部から中央部にかけて便器に設置するための設置口１０が設けられている。また設置口１０の縁部に、波部１１を有する構造となっている。なお、この床マットの断面図の構造、素材は実施の形態１と同様である。
【００２２】
図７は、図６の床マットを便器に設置したときの説明図である。以下この床マットの使用方法を説明する。
【００２３】
床マット２００を床に敷いた後、床マットの設置口１０を便器の底辺部１２に嵌めこむように設置する。このとき、波部１１が便器の底辺部１２の周辺と接するように設置する。床マット２００が不要になったときは、床マット２００を手で取り上げ、便器の中に捨てることができる程度に折り畳んだ後、流し捨てることもできる。
【００２４】
以上により、トイレの床が汚れることなく、衛生かつ快適に床マットを使用することができる。また、床マットの素材が水溶性のものである場合、使用後はトイレに流して捨てることもできるので、ゴミの発生を抑えエコ対策にもなる。
【符号の説明】
【００２５】
１００  便座シート
１  右上角部
２  左上角部
３  孔
４  波部
５  上層部
６  中層部
７  下層部
８  上層部の表面
９  下層部の表面
１０１  便座
２００  床マット
１０  設置口
１１  波部
１２  便器の底辺部
【図１】
2014210163.tif 000003
【図２】
2014210163.tif 000004
【図３】
2014210163.tif 000005
【図４】
2014210163.tif 000006
【図５】
2014210163.tif 000007
【図６】
2014210163.tif 000008
【図７】
2014210163.tif 000009